(57)【要約】【課題】遠赤外線に依る治療用品を身体に貼付することで行なう。【解決手段】波動体（Ａ）の波動発生物質（１）を酸化反応で発熱する発熱体（２）（たとえば商品名ホッカなど）で熱して遠赤外線を放射させる。波動体（Ａ）、発熱体（Ｂ）ともに平板状であり、夫々を接着して身体の患部に貼付する。【選択図】　　　図１
2004024810.tif 000002
【特許請求の範囲】
【請求項１】
身体に好影響を与える波動を発生する波動体（Ａ）を酸化反応により、発熱する発熱体（Ｂ）に接するようにした波動発生体に発熱体を併用した治療用品。
【請求項２】
波動発生物質（１）を耐熱性の袋（２）に封入して平板状とした請求項１記載の波動発生体に発熱体を併用した治療用品。
【請求項３】
波動発生物質（１）を樹脂（８）などに混入してシート状にした請求項１記載の波動発生体に発熱体を併用した治療用品。
【請求項４】
耐熱性の袋（２）に分割の仕切り（７）を施した請求項２記載の波動発生体に発熱体を併用した治療用品。
【請求項５】
発熱体（Ｂ）の通気性の袋（５）の中の酸化反応による発熱物質（３）に波動発生する物質（１）を混入した請求項１記載の波動発生に発熱体を併用した治療用品。
【請求項６】
発熱体（Ｂ）に接着剤（６）を塗布して身体の患部に貼付するようにした請求項１記載の波動発生体に発熱体を併用した治療用品。
【発明の詳細な説明】
【０００１】
【発明の属する技術分野】
本発明は波動発生体に酸化反応により発熱する発熱体と接して身体に好影響の波動を発生するようにした治療用品に関する。
【０００２】
【従来の技術】
従来の物理療法は主として、電気、超音波、遠赤外線、紫外線を用いた治療が行なわれているが、これらは凡て電源が必要であり、治療院の室内で行なわれている。小規模の家庭用であっても、同様に電源が必要であり室内で行なわれている。特殊なもので蓄電池を利用した携帯用の治療具がある。或は蓄熱式の方法などが考えられる。
【０００３】
【発明の解決しょうとする課題】
波動とは水の波、音波などの弾性波、或いは光とかα波などの電磁波がある。光の中の赤外線は波長０．７５〜１０００ミクロンの範囲であり、その中の波長５．６〜２５ミクロンの範囲を遠赤外線と云う。最近話題の気功で放射される波長は８ミクロンの遠赤外線である。
【０００４】
一般に遠赤外線は、石、炭、磁器などセラミックスを熱すると多く放射する。しかし、それ以外の物からも放射している。それは物理の法則で−２７３．１５度より高い温度では凡ての原子や分子が振動を起して、その物質のもつ特有の電磁波を放射する。人体より発生する遠赤外線は波長８〜１４ミクロンである。体内の波長と同じ波長を体外より、照射すると共振作用を起こして、細胞を活性化して自然治癒力を高めて、体内のさまざまな歪みを矯正する。
【０００５】
その他にも遠赤外線は体内の深部まで達して発汗作用を促し、有毒ミネラルのカドミウム、鉛、アルミニウム、砒素、水銀などの有害な重金属を汗として排出する。或は遠赤外線は活性酸素の除去にも役立つと云われる。
こうした治療器は特許出願公告　平３−３７９５４発明の名称、人体の周波数スペクトルと調和して効果フィールド治療装置およびその製造法は遠赤外線を発生するものであり、世界的にその治療効果を上げている。
【０００６】
しかし、これらは電源などが必要であって、治療院の屋内で行なうもの、小規模の家庭用であっても同様に電源が必要であり屋内で行なうしかない。
そのために治療中は治療に専念しなくてはならず時間的に拘束される。
本発明はこれを身体の患部に貼付して、仕事或は運動しながら治療できるようにしたもので、治療に専念することなく自由に行動しながら知らず知らずのうちに治療が行なわれるものである。
【０００７】
電源に蓄電池を利用することによる携帯も考えられるが、重量も重く器具もかさばり持ち歩きは不便である。その他蓄熱式も考えられるが短時間で放熱し長時間使用できない。短時間では治療効果が期待できない。もし長時間にすれば熱容量の関係で体積が大きくなり、身体に付ける場合にベルトなどの取り付け用具が必要となり不便である。
【０００８】
【課題を解決するための手段】
上記の目的を達成するための本発明の治療用品において、波動発生物質は熱を加えることにより、より多くの遠赤外線を放射する。その熱源として商品名ホッカとして市販されている、鉄粉などの酸化反応によって発熱するところの熱を利用する。発熱物質の量及び酸化を制御する物質により発熱温度及び時間の調節が可能となる。そこで身体にとって最もよい波長の出る温度に設定すれば治療の目的を達成することが出来る。
【０００９】
波動体とは波動発生物質の粉末、粒子或は液状の物を耐熱性の袋に封入して平板状にしたもの、或は樹脂の中に混入してシート状にしたものである。酸化反応による発熱体も平板状であり、波動体も同様に平板状であり、夫々を接着して身体の患部に付けて何の支障も感じない、貼付した感覚も感じない。
【００１０】
【発明の実施の形態】
発明の実施の形態を実施例にもとづき図面を参照して説明する。
図１において遠赤外線を発生する波動発生物質（１）を耐熱性の袋（２）に封入して平板状とした波動体（Ａ）の一面は酸化反応により発熱する発熱体（Ｂ）に接し他の面は身体の患部に接する。
【００１１】
図２に示される実施例は、波動体（Ａ）と発熱体（Ｂ）との取り付けは、発熱体（Ｂ）に塗布された接着剤（６）によって接着し、波動体（Ａ）より発熱体（Ｂ）の方が大きいので、その余白の接着剤（６）によって身体の患部に接着する。
【００１２】
図３に示す実施例では波動発生物質（１）が粉末、粒子或は液体の場合は平板状の袋（２）の中で一方に片寄ることを防ぐため仕切り（７）で分割して移動しないようにしている。
【００１３】
図４に示す実施例は波動発生物質（１）を樹脂（８）の中に混入してシート状にしたもの。
【００１４】
図５に示す実施例は波動発生物質（１）を発熱体（Ｂ）の酸化反応による発熱物質（３）の中に混入したもの。
【００１５】
【発明の効果】
本発明は以上のように構成されているので、以下に記載されるような効果を奏する。
【００１６】
発熱体に温度は４０〜５０度の設定がよい。その時の波動発生物質より出る波長の中心は９．２５〜９．５ミクロンであり、この波長は人間の細胞に最もよく吸収されやすく、育成光線と云われる。育成光線は波長９ミクロン±５ミクロンの範囲である。酸化反応による発熱体であるので、長時間の発熱を簡易な方法で得ることが出来る。しかも軽量で平面的あるから身体に付けたとき、違和感なく使用することが出来る。
【００１７】
波動発生物質が高価の場合は発熱完了したとき、波動体を発熱体の接着より取り外して繰り返し使用可能である。
波動発生物質が安価の場合は、当初より波動体を発熱体に固定して使い捨てとする。或は発熱体の発熱物質に混入して使い捨てとする。発熱体は当初はビニール袋に密封されており、それより出すこにより酸化が始まり発熱する。この方法で容易にそして安全に、しかも長時間更に安価に熱源を得ることが出来る。
【００１８】
このように患部に薬を塗るとか布に薬を塗布したいわゆる膏薬を貼るなどの薬効でなく、一切薬品は使用しない全くの物理療法である。
電源の蓄電池を携行することもなく、蓄熱式の場合の取り付け用ベルトも必要なく、身体の患部に直接に或は下着に貼付すると云う最も安易な方法で治療を行なうことが出来る。薬効でなく遠赤外線治療であるので下着に付けても、その効果は変わらない。このように安価して時間に拘束されることなく長時間の治療を行なうことが出来る。
【図面の簡単な説明】
【図１】本発明の治療用品の縦断面図である。
【図２】本発明の治療用品の透視図である。
【図３】波動発生物質の設置の実施例を示す平面図である。
【図４】波動発生物質の設置の実施例を示す縦断面図である。
【図５】波動発生物質の設置の実施例を示す縦断面図である。
【符号の説明】
１　波動発生物質
２　耐熱性の袋
３　発熱物質
４　酸化制御物質
５　通気性の袋
６　接着剤
７　仕切り
８　樹脂
Ａ　波動体
Ｂ　発熱体
【図１】
2004024810.tif 000003
【図２】
2004024810.tif 000004
【図３】
2004024810.tif 000005
【図４】
2004024810.tif 000006
【図５】
2004024810.tif 000007